(57)【要約】      （修正有）【課題】簡易な構成で、容易且つ確実なテープにタブを形成できるテープカッターを提供する。【解決手段】テープカッター１は、テープ２が巻かれた状態のテープ部４を回転可能に保持する本体部５と、本体部から立設された固定部６と、固定部に設けられ、テープ部から引き出されたテープの粘着面２ａと当接しテープを仮保持可能な傾斜面７と、テンショナー（張力調節手段）８と、起立姿勢と前倒れ姿勢との間を回動するアーム部１０の先端に設けられ、テープ部から引き出されたテープを切断するカッター部１４と、を備える。回動角度固定手段１２により、アーム部１０の姿勢（回動角度）を調節することで、タブ３の長さを容易に選択（変更）することができる。【選択図】図１
0003210787.tif 000002
【実用新案登録請求の範囲】
【請求項１】
粘着面を片面に有したテープの先端に当該粘着面同士を所定長さで接着することにより粘着性のないタブを形成すると共に、当該テープを切断するテープカッターであって、
前記テープが巻かれた状態のテープ部を回転可能に保持する本体部と、
前記本体部から立設された固定部と、
前記固定部に設けられ、前記テープ部から引き出された前記テープの前記粘着面と当接して当該テープを仮保持し、且つ、前記テープ部から前記カッター部側に向かって高くなるように傾斜している傾斜面と、
前記テープ部から引き出され前記傾斜面によって仮保持された前記テープの張力を調節する張力調節手段と、
前記本体部又は前記固定部に対して回動自在に設けられ、ほぼ鉛直状態の起立姿勢と前記固定部から離れる方向に傾斜する前倒れ姿勢との間を回動するアーム部と、
前記アーム部の回動角度を固定する回動角度固定手段と、
前記固定部の、前記アーム部と対向する面に設けられた磁石と、
前記アーム部の先端に設けられ、前記テープ部から引き出された前記テープを切断するカッター部と、
前記固定部と前記前倒れ姿勢の前記アーム部との間に設けられ、使用者の指を配置可能な第1の空間と、
前記固定部と前記張力調節手段との間に設けられ、使用者の指を配置可能な第２の空間と、
を備えることを特徴とするテープカッター。
【請求項２】
前記張力調節手段は、一端を前記固定部に固定されたスプリングによって付勢されていることを特徴とする請求項１に記載のテープカッター。
【考案の詳細な説明】
【技術分野】
【０００１】
本考案は、粘着面を片面に有するテープの先端に粘着面同士を所定長さで接着することにより粘着性のない摘み部（以下、タブと称する）を容易に形成することができるテープカッターに関するものである。
【背景技術】
【０００２】
従来、梱包・包装作業等においては、対象物に貼るための粘着テープを適宜長さに切断するテープカッターが使用されており、一度対象物に貼り付けたテープを容易に剥がせるようにテープを切断するテープカッターが提供されている。例えば、粘着面を片面に有するテープの端部をテープ側に折り畳んで粘着面同士を貼り合わせ、粘着性のない摘み部となるタブをテープの先端部に形成し、このタブを摘まんで容易に剥がせるようにしたテープカッターが提供されている（例えば、特許文献１参照）。
【０００３】
この特許文献１に係る従来のテープカッターは、切断されたテープの先端にタブを形成するにあたり、粘着テープの切断処理を行うカッター機構と、残留テープの先端面に折り込み処理を行う折り込み機構及び折り込み部分の折り曲げ処理を行う折り曲げ機構とを具備し、それぞれが各機構に設けられたカムにより、粘着テープの切断処理、残留テープの先端部の折り込み処理、折り込み部分の折り曲げ処理の連携動作にズレを生じることがなく周期的な運動が与えられることで、次回の切断に備えて引き出し予定の粘着テープの先端にタブを形成するように構成されている。
【先行技術文献】
【特許文献】
【０００４】
【特許文献１】特開平１１−４９４１９号公報
【考案の概要】
【考案が解決しようとする課題】
【０００５】
しかし、上記特許文献１に係る従来のテープカッターは、テープ折り畳みのタイミングが微妙であるため、精度が少しでもずれると、タブの形成ができなくなるという課題があった。また、機器の構成が複雑で精度が要求されることから、製造コストが高くなってしまうという課題があった。
そのため、簡易な構成で、容易且つ確実にテープにタブを形成できるテープカッターの提供が望まれていた。
【０００６】
本考案は、簡易な構成で、容易且つ確実にテープにタブを形成できるテープカッターを提供することを目的とする。
【課題を解決するための手段】
【０００７】
本考案のテープカッターは、粘着面を片面に有したテープの先端に当該粘着面同士を所定長さで接着することにより粘着性のないタブを形成すると共に、当該テープを切断するテープカッターであって、前記テープが巻かれた状態のテープ部を回転可能に保持する本体部と、前記本体部から立設された固定部と、前記固定部に設けられ、前記テープ部から引き出された前記テープの前記粘着面と当接し当該テープを仮保持可能な傾斜面と、前記テープ部から引き出され前記傾斜面によって仮保持された前記テープの張力を調節する張力調節手段と、前記本体部又は前記固定部に対して回動自在に設けられ、ほぼ鉛直状態の起立姿勢と前記固定部から離れる方向に傾斜する前倒れ姿勢との間を回動するアーム部と、前記アーム部の回動角度を固定する回動角度固定手段と、前記アーム部の先端に設けられ、前記テープ部から引き出された前記テープを切断するカッター部と、を備えることを特徴とする。
【０００８】
また、本考案のテープカッターは、前記考案において、前記傾斜面は、前記テープ部から前記カッター部側に向かって高くなるように傾斜していることを特徴とする。
【０００９】
また、本考案のテープカッターは、前記考案において、前記固定部と前記前倒れ姿勢の前記アーム部との間には、使用者の指を配置可能な第1の空間を備えることを特徴とする。
【００１０】
また、本考案のテープカッターは、前記考案において、前記固定部と前記張力調節手段との間には、使用者の指を配置可能な第２の空間を備えることを特徴とする。
【考案の効果】
【００１１】
本考案によれば、簡易な構成で、容易且つ確実にテープにタブを形成できるテープカッターを提供することができる。
【図面の簡単な説明】
【００１２】
【図１】本考案の実施の形態に係るテープカッター１を示す正面図である。
【図２】テープカッター１の傾斜面及びカッター部１４を示す平面図である。
【図３】回動角度固定手段１２を示す部分断面図である。
【図４】アーム部１０の係合溝１５を拡大して示す説明図である。
【図５】テープ２に形成されたタブ３を示す斜視図である。
【考案を実施するための形態】
【００１３】
以下、本考案の実施の形態に係るテープカッターについて図１〜図５を参照しながら詳細に説明する。図１は、本考案の実施の形態に係るテープカッター１を示す正面図である。図２は、テープカッター１の傾斜面及びカッター部１４を示す平面図である。図３は、回動角度固定手段１２を示す部分断面図である。図４は、アーム部１０の係合溝１５を拡大して示す説明図である。図５は、テープ２に形成されたタブ３を示す斜視図である。
【００１４】
図１及び図４に示すように、テープカッター１は、粘着面２ａを片面に有したテープ２の先端に粘着面２ａ同士を所定長さで接着することにより、粘着性のないタブ３を形成すると共に、テープ２を切断するものである。
図１に示すように、テープカッター１は、テープ２が巻かれた状態のテープ部４を回転可能に保持する本体部５と、本体部５から立設された固定部６と、固定部６に設けられ、テープ部４から引き出されたテープ２の粘着面２ａと当接しテープ２を仮保持可能な傾斜面７と、テンショナー（張力調節手段）８と、アーム部１０と、アーム部１０の回動角度を固定する回動角度固定手段１２と、アーム部１０の先端に設けられ、テープ部４から引き出されたテープ２を切断するカッター部１４と、を備える。
【００１５】
図１に示すように、アーム部１０は、本体部５に対して回動軸１１を介して回動自在に設けられ、ほぼ鉛直状態の起立姿勢（想像線で表示）と固定部６から離れる方向に傾斜する前倒れ姿勢（実線で表示）との間を回動するように構成されている。
アーム部１０は、例えば、薄い鉄板をプレス加工等して形成することができる。また、アーム部１０の頂面１０ａは、テープ部４から引き出されたテープ２の粘着面２ａと当接しテープ２を仮保持できるようになっている。頂面１０ａの前方側の端縁部には、平面視が鋸刃状のカッター部１４が設けられている。頂面１０ａ及びカッター部１４は、一体的に形成されている。
【００１６】
また、図４に示すように、アーム部１０は、係合溝１５を備える。この係合溝１５は、アーム部１０の長手方向に延びる貫通穴であり、固定部６側に延びる３つの切り欠き部１５ａを有する。この切り欠き部１５ａには、後述する連結部材１３の一端１３ａが係合する。これによって、アーム部１０の回動角度（姿勢）を３段階に変更でき、且つ、その姿勢を維持することができる。係合溝１５は、回動角度固定手段１２の一部を構成している。
【００１７】
最上部の切り欠き部１５ａは、アーム部１０の起立姿勢に対応しており、タブ３を形成しない通常のテープカッターとして使用する際に、連結部材１３の一端１３ａを係合させて使用される。最下部の切り欠き部１５ａは、アーム部１０の前倒れ姿勢に対応しており、タブ３の長さが最大となるように設けられている。中間の切り欠き部１５ａは、起立姿勢と前倒れ姿勢との中間位置に対応するように設けられている。すなわち、前倒れ姿勢の場合よりも、タブ３の長さが短くなるように設けられている。つまり、このテープカッター１は、タブ３を形成しない通常のテープカッターとして使用できると共に、タブ３の長さを選択的に２種類形成できるように構成されている。
【００１８】
また、図３及び図４に示すように、回動角度固定手段１２は、アーム部１０の回動角度を固定する部材であり、平面視コの字状に形成された連結部材１３と、連結部材１３の一端１３ａと係合するアーム部１０の係合溝１５、連結部材１３の他端１３ｂを回動自在に軸支する固定部６の軸支穴６ａとから構成される。なお、この回動角度固定手段１２は、アーム部１０の一の側部に設けることができるが、両側部に設けてもよい。
【００１９】
図１に示すように、傾斜面７は、テープ部４からカッター部１４側に向かって高くなるように傾斜している。これにより、アーム部１０が起立姿勢となったときに、テープ２が上向きに弛んでタブ３（想像線で表示）が形成され易くなる。
【００２０】
固定部６と前倒れ姿勢のアーム部１０との間には、使用者の指を配置可能な第１の空間１７を備える。また、固定部６とテンショナー８との間には、使用者の指を配置可能な第２の空間２０を備える。これにより、テープ２へのアクセスが容易になり、容易にタブ３を作製することができる。
【００２１】
テンショナー８は、テープ部４から引き出され傾斜面７によって仮保持されたテープ２の張力を調節する張力調節手段として機能する。テンショナー８の一端は、固定部６に回動自在に軸支され、他端は、テープ部４を横断しその上面（非接着面）に当接するように構成されている。また、テンショナー８は、一端を固定部６に固定されたスプリング２２によって下方に付勢されている。これにより、テンショナー８は、テープ部４から引き出され傾斜面７によって仮保持されたテープ２の張力を調節する。
【００２２】
固定部６の前面、すなわち、アーム部１０と対向する面には、磁石２５が設けられている。この磁石２５は、鉄製のアーム部１０が起立姿勢となった際に、アーム部１０を磁力で引き寄せて起立姿勢を維持することができる、これにより、上記回動角度固定手段１２によるアーム部１０の回動角度固定が解除されている場合であっても、アーム部１０の起立姿勢を維持することができる。
【００２３】
次に、テープカッター１の使用方法について図１を参照しながら説明する。図１に示すように、通常、アーム部１０は、前倒れ姿勢（実線で表示）となるように、回動角度固定手段１２によって回動角度が固定されている。
使用者は、テープ部４からテープ２をカッター部１４の位置まで引き出し、テープ２の途中の粘着面２ａを固定部６の傾斜面７に貼付して仮保持させると共に、テープ２の先端の粘着面２ａをアーム部１０の頂面１０ａに貼付して仮保持させる。あるいは、テープ２の先端をカッター部１４で切断することにより、アーム部１０の頂面１０ａに仮保持させてもよい。
【００２４】
このとき、テープ部４から引き出され傾斜面７によって仮保持されたテープ２は、テンショナー８によって下方に付勢されながら張力を適正に調節されているので、適切に傾斜面７に押圧され、確実に仮保持される。特に、テープ部４のテープ２の量が少なくなり、テープ部４の直径が小さくなった場合であっても、上記張力を適正に調節することができ、確実な仮保持を担保することができる。
【００２５】
次に、アーム部１０を指で固定部６側に押して起立姿勢にする。このとき、連結部材１３は、他端１３ｂ（図３参照）を中心にして反時計回りに回動する。そのため、連結部材１３の一端１３ａと係合溝１５における下方の切り欠き部１５ａとの係合が一時的に解除され、連結部材１３の回動に伴って一端１３が次第に上方に移動し、やがて、最上部の切り欠き部１５ａ（図４参照）と係合する。これによってアーム部１０は、起立姿勢に固定される。なお、アーム部１０は、起立姿勢に近づくと、磁石２５の磁力によって固定部６に引き寄せられ、固定部６に密着する。
アーム部１０が起立姿勢になると、傾斜面７とカッター部１４との間に位置していたテープ２が上方に凸となるように弛み、その粘着面２ａ同士が当接（接着）することにより、タブ３が容易に形成される。
【００２６】
そして、このタブ３を指で摘まんで引き上げながら、傾斜面７及びアーム部１０の頂面１０ａによる仮保持状態を解除し、必要長さのテープ２をテープ部４から前方に引き出してからカッター部１４によって切断する。これにより、図５に示すように、タブ３を有したテープ２を作製することができる。また、アーム部１０の姿勢（回動角度）を２段階に調節することで、タブ３の長さを容易に選択（変更）することができる。
【００２７】
テープカッター１には、上記第１の空間１７及び第２の空間２０が形成されているため、使用者が指を上記空間１７，２０に配置することができる。そのため、テープ２へのアクセスが容易になり、容易にタブ３を作製することができる。
【００２８】
また、テープ２にタブ３を形成する必要がない場合には、連結部材１３の一端１３ａを最上部の切り欠き部１５ａ（図４参照）に係合させ、アーム部１０を起立姿勢のまま使用することで、通常のテープカッターとして使用することができる。この場合、テープ２は、必ずしもテンショナー８によって付勢されていなくてもよく、テンショナー８の上端部からテープ２を取り外して使用することができる。
【００２９】
以上に説明した実施の形態に係るテープカッター１によれば、以下に示す各効果が奏される。テープカッター１は、テープ２が巻かれた状態のテープ部４を回転可能に保持する本体部５と、本体部５から立設された固定部６と、固定部６に設けられ、テープ部４から引き出されたテープ２の粘着面２ａと当接しテープ２を仮保持可能な傾斜面７と、テンショナー（張力調節手段）８と、アーム部１０と、アーム部１０の回動角度を固定する回動角度固定手段１２と、アーム部１０の先端に設けられ、テープ部４から引き出されたテープ２を切断するカッター部１４と、を備える。
そのため、簡易な構成で、容易且つ確実にテープ２にタブ３を形成することができる。また、アーム部１０の姿勢（回動角度）を調節することで、タブ３の長さを容易に選択（変更）することができる。
【００３０】
また、傾斜面７は、テープ部４からカッター部１４側に向かって高くなるように傾斜している。そのため、アーム部１０が起立姿勢となったときに、テープ２が上向きに弛んでタブ３が形成され易くなる。
【００３１】
また、テンショナー８を備えたことによって、テープ部４から引き出され傾斜面７によって仮保持されたテープ２は、下方に付勢されながら張力を適正に調節される。そのため、適切に傾斜面７に押圧され、確実に仮保持される。特に、テープ部４のテープ２の量が少なくなり、テープ部４の直径が小さくなった場合であっても、上記張力を適正に調節することができ、確実な仮保持を担保することができる。
【００３２】
また、固定部６と前倒れ姿勢のアーム部１０との間には、使用者の指を配置可能な第１の空間１７を備える。また、固定部６とテンショナー８との間には、使用者の指を配置可能な第２の空間２０を備える。そのため、テープ２へのアクセスが容易になり、容易にタブ３を作製することができる。
【００３３】
以上、本考案の一実施形態について説明したが、本考案は、前述した実施の形態に制限されるものではなく、適宜変更が可能である。例えば、前記実施の形態に係るテープカッター１においては、アーム部１０を本体部５に対して回動自在に設けるものとして説明したが、これに制限されず、固定部６に対して回動自在に設けてもよい。これによっても、上記の場合と同様の効果を期待できる。
【００３４】
また、前記実施の形態に係るテープカッター１においては、テンショナー８は、一端を固定部６に固定されたスプリング２２によって下方に付勢されるものとして説明したが、これに限定されず、板バネ等の他の付勢手段によって付勢してもよい。これによっても、上記の場合と同様の効果を期待できる。
【００３５】
また、前記実施の形態に係るテープカッター１においては、連結部材１３及び係合溝１５等からなる回動角度固定手段１２を備えるものとして説明したが、アーム部１０の姿勢を変更し固定できる手段であれば、これに限定されない。
【００３６】
また、前記実施の形態に係るテープカッター１においては、タブ３の長さを２種類に変更できるものとして説明したが、１種類又は３種類以上に変更できるように構成してもよい。すなわち、回動角度固定手段１２によってアーム部１０の姿勢を２段階又は４段階以上に変更できるように構成してもよい。これにより、ユーザーの使用目的に応じた多種・多様のテープカッターを提供することができる。
【符号の説明】
【００３７】
１  テープカッター
２  テープ
２ａ  粘着面
３  タブ
４  テープ部
５  本体部
６  固定部
６ａ  軸支穴
７  傾斜面
８  テンショナー（張力調節手段）
１０  アーム部
１０ａ  頂面
１１  回動軸
１２  回動角度固定手段
１３  連結部材
１３ａ  一端
１３ｂ  他端
１４  カッター部
１５  係合溝
１５ａ  切り欠き部
１７  第１の空間
２０  第２の空間
２２  スプリング
２５  磁石
【図１】
0003210787.tif 000003
【図２】
0003210787.tif 000004
【図３】
0003210787.tif 000005
【図４】
0003210787.tif 000006
【図５】
0003210787.tif 000007